(57)【要約】【課題】  本発明は、実際のゴルフコースとほぼ同様の挙動を示すゴルフマットを簡易に提供することを目的とする。【解決手段】  本発明のゴルフマットは、人工芝からなる上層と、前記上層の下に、第一の弾性部材層からなる第一の中間層と、前記第一の弾性部材層の材料の硬度よりも高い、第二の弾性部材層からなる第二の中間層と、前記第二の中間層の下に、マットの湾曲防止部材からなる下層と、を含むこと特徴とする。また、本発明のゴルフマットの好ましい実施態様において、前記第一の中間層の材料の硬度が、１５〜２５度であることを特徴とする。【選択図】なし【特許請求の範囲】
【請求項１】
人工芝からなる上層と、前記上層の下に、第一の弾性部材層からなる第一の中間層と、前記第一の弾性部材層の材料の硬度よりも高い、第二の弾性部材層からなる第二の中間層と、前記第二の中間層の下に、マットの湾曲防止部材からなる下層と、を含むこと特徴とするゴルフマット。
【請求項２】
前記第一の中間層の材料の硬度が、１５〜２５度であることを特徴とする請求項１記載のゴルフマット。
【請求項３】
前記第一の中間層の材料の２５％圧縮荷重が、３５０〜８５０g/cm2であることを特徴とする請求項１又は２項に記載のゴルフマット。
【請求項４】
前記第二の中間層の材料の硬度が、３５〜４５度であることを特徴とする請求項１〜３項のいずれか1項に記載のゴルフマット。
【請求項５】
前記第二の中間層の材料の２５％圧縮荷重が、３５０〜８５０g/cm2であることを特徴とする請求項１〜４項のいずれか１項に記載のゴルフマット。
【発明の詳細な説明】
【技術分野】
【０００１】
本発明は、ゴルフマットに関し、特に、人工芝を有するゴルフマットに関する。
【背景技術】
【０００２】
一般にゴルフ練習場で使用される練習用ゴルフマットとして、ベースとなるゴムマットに浅底状の凹部を有し、当該凹部内にポリアミド樹脂等の化繊を素材とする人工芝をゴム板に接着加工してなる人工芝マットが知られている。  
【０００３】
しかし、実際のゴルフコースと、ゴルフ練習場との間において、ゴルフコースでのアイアンクラブのスイングでは、打球する際に、芝生がクラブフェースとボールの間に挟まり、ボールは異常な飛び方になるなどの差異が生じている。
【０００４】
かかる問題を解決するために、ケース枠に土壌を充填し、当該土壌に芝生を育成してなる芝生カートリッジがゴムマットの浅底状の凹部内に着脱可能に装着された芝生カートリッジゴルフマットが知られている(特許文献１)。
【先行技術文献】
【特許文献】
【０００５】
【特許文献１】特開２０００−１４０１８０号公報
【発明の概要】
【発明が解決しようとする課題】
【０００６】
しかしながら、従来のゴルフマットにおいては、実際のゴルフコースと、練習場のゴルフマットとの間に、差異が生じており、ゴルフスイングのスムーズな技術向上に対して大きな問題点となっている。上記引用文献１においては、こうした問題を解決するために、カートリッジを導入しているが、カートリッジを都度製造しなければならず、すなわち、別途芝生を育成し続けなければならず、カートリッジに配備された土壌が、マットから飛び出す虞もあり、ゴルフ練習場の清掃負担を与える可能性がある。
【０００７】
そこで、上記問題点を解決すべく、本発明は、実際のゴルフコースとほぼ同様の挙動を示すゴルフマットを簡易に提供することを目的とする。
【課題を解決するための手段】
【０００８】
上記目的を達成するために、本発明者は、既存のゴルフマットを分析し、鋭意検討を行った結果、本発明を見出すに至った。
【０００９】
すなわち、本発明のゴルフマットは、人工芝からなる上層と、前記上層の下に、第一の弾性部材層からなる第一の中間層と、前記第一の弾性部材層の材料の硬度よりも高い、第二の弾性部材層からなる第二の中間層と、前記第二の中間層の下に、マットの湾曲防止部材からなる下層と、を含むこと特徴とする。
【００１０】
また、本発明のゴルフマットの好ましい実施態様において、前記第一の中間層の材料の硬度が、１５〜２５度であることを特徴とする。
【００１１】
また、本発明のゴルフマットの好ましい実施態様において、前記第一の中間層の材料の２５％圧縮荷重が、３５０〜８５０g/cm2であることを特徴とする。
【００１２】
また、本発明のゴルフマットの好ましい実施態様において、前記第二の中間層の材料の硬度が、３５〜４５度であることを特徴とする。
【００１３】
また、本発明のゴルフマットの好ましい実施態様において、前記第二の中間層の材料の２５％圧縮荷重が、３５０〜８５０g/cm2であることを特徴とする。
【発明の効果】
【００１４】
本発明のゴルフマットによれば、実際のゴルフコースにおける芝生に似た挙動を示すという有利な効果を奏する。すなわち、ラング硬度計において、前期第一の中間層と前期第二の中間層の合わさった硬度が晴天時のフェアウェイと同等の硬度を持つ（硬度１０）という有利な効果奏する。
【発明を実施するための形態】
【００１５】
本発明のゴルフマットは、人工芝からなる上層と、前記上層の下に、第一の弾性部材層からなる第一の中間層と、前記第一の弾性部材層の材料の硬度よりも高い硬度を有する、第二の弾性部材層からなる第二の中間層と、前記第二の中間層の下に、マットの湾曲防止部材からなる下層と、を含むこと特徴とする。
【００１６】
本発明において使用される人工芝については、特に限定されない。人工芝とは、一般に、化学繊維を織物基布に植毛する(タフト・タイプ)か、化学繊維を編み立てる(ニット・タイプ)ことによって芝に類似の形状をもたせた敷物をいうが、これらを総て本発明に適用可能である。繊維素材には耐久性に富み柔らかいナイロンおよびポリプロピレンが多く使用されている。融点が高く、融解によるクラブヘッドへの付着が少ないという観点から、ナイロンが好ましい。
【００１７】
また、前記人工芝としては、クラブがつっかかりにくいという観点から、好ましくは、カール人工芝を使用することができる。
【００１８】
本発明においては、前記上層の下に、第一の弾性部材層からなる第一の中間層を備える。また、前記第一の弾性部材層の材料の硬度よりも高い硬度を有する、第二の弾性部材層からなる第二の中間層を備える。前記第一の中間層は、ゴルフクラブが前記人工芝に当たった時に衝撃をある程度緩和しながらも跳ね返すという観点から、使用することができる。また、前記第二の中間層は、衝撃緩和とゴルフクラブを芝に沈ませるという観点から、低反発素材が好ましい。例えば、ポリウレタンを例にとれば、反発弾性(JＩS規格)が１５％以下であると低反発と言われ、５０％以上であると高反発といわれている。
【００１９】
また、本発明のゴルフマットの好ましい実施態様において、前記第一の中間層の材料の硬度が、ゴルフクラブが前記人工芝に当たった時に衝撃をある程度緩和しながらも跳ね返すという観点から１５〜２５度であることを特徴とする。
【００２０】
また、本発明のゴルフマットの好ましい実施態様において、クラブヘッドをすべらせるという観点から、前記第一の中間層の材料の２５％圧縮荷重が、３５０〜８５０g/cm2であることを特徴とする。
【００２１】
また、本発明のゴルフマットの好ましい実施態様において、前記第二の中間層の材料の硬度が、クラブヘッドの沈み込みを抑えるという観点から３５〜４５度であることを特徴とする。
【００２２】
また、本発明のゴルフマットの好ましい実施態様において、打球時の強い衝撃に対しての緩和という観点から、前記第二の中間層の材料の２５％圧縮荷重が、３５０〜８５０g/cm2であることを特徴とする。
【００２３】
前記第二の中間層として、前記第一の弾性部材層の材料の硬度よりも高い硬度を有する、第二の弾性部材層からなることとしたのは、天然芝上打球時の挙動模倣という観点からである。
【００２４】
また、本発明において、前記第二の中間層の下に、マットの湾曲防止部材からなる下層と、を含む。この下層は、機能としてはマットの形を維持するものである。当該下層がないと、ゴルフマットが湾曲してしまう虞がある。マットの湾曲防止部材としては、経済性等の観点から、カーペット、ゴム等を挙げることができる。また、湾曲防止部材の引張り強度としては、成形維持という観点から、４２０N〜６９０Nのものを好ましく使用することができる。
【実施例】
【００２５】
ここで、本発明の試料ホルダー先端部の一実施例を説明するが、本発明は、下記の実施例に限定して解釈されるものではない。また、本発明の要旨を逸脱することなく、適宜変更することが可能であることは言うまでもない。
【実施例１】
【００２６】
まず、人工芝として、下記のものを準備した。
＜人工芝＞：66N  カール芝（特別規格品）NTA1800L  
パイル長：13ｍｍ、パイル素材：ナイロン66クリンプ、裏加工仕上：ラバースポンジ、幅・長さ：指定サイズ、 防災番号：N100030
また、第一の中間層として、下記のものを準備した。
＜第一の中間層＞：スポンジC4405（硬度25度）            
厚さ：30ｍｍ、25％圧縮荷重：550〜850g/ｃｍ２、
また、第二の中間層として、下記のものを準備した。
＜第二の中間層＞スポンジ：NBR4413（硬度40度低反発）
厚さ：50ｍｍ（特別仕様）、      25％圧縮荷重：400〜800g/ｃｍ２
また、下層として、下記のものを準備した。
＜下層＞カーペット：（トーア紡製）ポリプロピレン100％
【００２７】
マットの湾曲防止部材としては、厚み、丈夫さ、経済性等の観点から、カーペットを使用した。また、他のマットと高さを合わせる為、トータルの高さ２４ｍｍにした。
【００２８】
このように種々のゴルフマットを製作して、 良いか悪いかの判断について、当社所属のプロ、ゴルフをよくする社員、あまりしない社員などに試打してもらい、アンケート調査した結果、特性の異なる緩衝材2重構造で構成されるゴルフマットについて良好な結果が得られた。
【００２９】
すなわち、第一の中間層の硬度が１５〜２５度であるのが望ましく、この数値より高いと手首等、体に負担が掛かり低いと、打球する前に上層への接触が起こった場合、クラブヘッドの弾みが少なくなりヘッドが滑走しにくく打球が難しくなるという結果が判明した。
【００３０】
また、第一の中間層の２５％圧縮荷重は５５０〜８５０ｇ/ｃｍ２が望ましく、硬度同様低い方が体に対する負担が少なくなるが低すぎると衝撃で変形した上層が抵抗になり、クラブヘッドの滑走が困難になるので、ある程度の固さが必要であることも判明した。第二の中間層の硬度は３５〜４５度が望ましく、この数値より高いと第一の中間層から伝わった衝撃を緩和しきれずクラブが弾かれ、低いとクラブヘッドが深く入りすぎ、変形した上層、第一の中間層が抵抗になることも判明した。
【００３１】
さらに、第二の中間層の２５％圧縮荷重は３５０〜８５０g/ｃｍ２が望ましくこの数値より高いと上層接触時、クラブを激しく突き上げ、低いとクラブヘッドが接触した付近全体が沈み込む為、高低、共に不自然な挙動となることも分かった。
【産業上の利用可能性】
【００３２】
本発明のゴルフマットは、既存のゴルフ練習場において、交喚可能であるので汎用性が高く、広範な範囲で適用可能である。